(57)【要約】【課題】パッキン材をシャーシの上面と縦根太の下面との間に確実に配置でき、また、所定の個所に、縦根太と横根太やシャーシとを容易に取り付けることができるトラック荷台下部構造を提供することである。【解決手段】縦根太２１の下面に、縦根太２１の長手方向に長い断面コ字形の下面溝２２を形成し、この下面溝２２内にパッキン材１４を配置した。縦根太２１の側面に、縦根太２１の長手方向に長い１個又は複数個の断面Ｃ字形の側面溝２３を形成し、この側面溝２３を形成した側の縦根太２１の上面のエッジ部分に、下方向に傾斜する傾斜面２４を形成した。縦根太２１の上面に面する第二の接合板４１の取付面の幅を、縦根太２１のエッジ部分の傾斜面２４の開始点２４´と、これと反対側の縦根太２１のエッジとの間の距離と同じ、又はこの距離よりも長くした。【選択図】図１
2006123771.tif 000002
【特許請求の範囲】
【請求項１】
トラックのシャーシに荷台を取り付けるためのトラック荷台下部構造であって、
パッキン材を介して前記シャーシの上面に配置される角筒状の縦根太、
前記縦根太を前記シャーシに固定するための第一の固定手段、
前記縦根太と交差して前記縦根太の上面に配置される角筒状の横根太、及び
前記横根太を前記縦根太に固定するための第二の固定手段、
から成り、
前記縦根太の下面に、前記縦根太の長手方向に長い断面コ字形の下面溝が形成され、この下面溝内に前記パッキン材が配置される、
ところのトラック荷台下部構造。
【請求項２】
請求項１のトラック荷台下部構造であって、
前記縦根太の側面に、前記縦根太の長手方向に長い１個又は複数個の断面Ｃ字形の側面溝が形成され、
この側面溝を形成した側の前記縦根太の上面のエッジ部分に、下方向に傾斜する傾斜面が形成され、
前記第一の固定手段が、
前記縦根太の側面と前記シャーシの側面に面した取付面を有する第一の接合板、
前記第一の接合板を前記シャーシの側面に固定するための手段、及び
前記第一の接合板を前記縦根太に固定するための第一のボルト手段であって、この第一のボルト手段の一端が、前記側面溝内に嵌入される、ところの第一のボルト手段、
から成り、
前記第二の固定手段が、
第二の接合板、
この第二の接合板を前記横根太の側面に固定するための手段、及び
この第二の接合板を前記縦根太に固定するための手段、
から成る、
ところのトラック荷台下部構造。
【請求項３】
請求項２のトラック荷台下部構造であって、
前記第二の接合板が、前記横根太の側面と前記縦根太の上面に面する取付面を有し、
前記取付面の幅が、前記縦根太の傾斜面の開始点と、これと反対側の前記縦根太のエッジとの間の距離と同じ、又はこの距離よりも長い、
ところのトラック荷台下部構造。
【請求項４】
請求項２のトラック荷台下部構造であって、
前記第二の接合板が、前記横根太の側面と前記縦根太の側面に面する取付面を有し、
前記第二の接合板を前記縦根太に固定するための前記手段が、第二のボルト手段であり、この第二のボルト手段の一端が、前記側面溝内に嵌入される、
ところのトラック荷台下部構造。
【請求項５】
請求項２のトラック荷台下部構造であって、
前記縦根太の上面に、前記縦根太の長手方向に長い１個又は複数個の断面Ｃ字形の上面溝が形成され、
前記第二の接合板が、前記横根太の側面と前記縦根太の上面に面する取付面を有し、
前記第二の接合板を前記縦根太に固定するための前記手段が、第二のボルト手段であり、この第一のボルト手段の一端が、前記上面溝内に嵌入され、
前記縦根太の上面に面する取付面の幅が、前記縦根太の傾斜面の開始点と、これと反対側の前記縦根太のエッジとの間の距離と同じ、又はこの距離よりも長い、
ところのトラック荷台下部構造。
【請求項６】
請求項５のトラック荷台下部構造であって、
前記横根太が、Ｃ字形の断面を有し、
前記第二の固定手段が、
前記横根太を下面を前記縦根太に固定するための第三のボルト手段であって、前記第三のボルト手段の一端が前記上面溝内に嵌入される、ところの第三のボルト手段、
からさらに成る、
ところのトラック荷台下部構造。
【請求項７】
請求項５のトラック荷台下部構造であって、
前記縦根太が、中空であり、
前記縦根太の内部に、前記縦根太の内部下面から前記上面溝の裏面にわたるリブが形成される、
ところのトラック荷台下部構造。
【請求項８】
請求項１のトラック荷台下部構造であって、
前記縦根太の上面に、前記縦根太の長手方向に長い１個又は複数個の断面Ｃ字形の上面溝が形成され、
前記縦根太の側面に、前記縦根太の長手方向に長い１個又は複数個の断面Ｃ字形の側面溝が形成され、
この側面溝を形成した側の前記縦根太の上面のエッジ部分に、下方向に傾斜する傾斜面が形成され、
前記第一の固定手段が、
前記縦根太の上面と前記シャーシの側面に面した取付面を有する第一の接合板、
前記第一の接合板を前記シャーシの側面に固定するための手段、及び
前記第一の接合板を前記縦根太に固定するための第一のボルト手段であって、この第一のボルト手段の一端が、前記上面溝内に嵌入される、ところの第一のボルト手段、
から成り、
前記第二の固定手段が、
第二の接合板、
前記第二の接合板を前記横根太の側面に固定するための手段、及び
前記第二の接合板を前記縦根太に固定するための手段、
から成る、
ところのトラック荷台下部構造。
【請求項９】
請求項８のトラック荷台下部構造であって、
前記第二の接合板が、前記横根太の側面と前記縦根太の上面に面する取付面を有し、
前記第二の接合板を前記縦根太に固定するための前記手段が、第二のボルト手段であり、この第一のボルト手段の一端が、前記上面溝内に嵌入され、
前記縦根太の上面に面する取付面の幅が、前記縦根太の傾斜面の開始点と、これと反対側の前記縦根太のエッジとの間の距離と同じ、又はこの距離よりも長い、
ところのトラック荷台下部構造。
【請求項１０】
請求項８のトラック荷台下部構造であって、
前記第二の接合板が、前記横根太の側面と前記縦根太の側面に面する取付面を有し、
前記第二の接合板を前記縦根太に固定するための前記手段が、第二のボルト手段であり、この第二のボルト手段の一端が、前記側面溝内に嵌入される、
ところのトラック荷台下部構造。
【請求項１１】
請求項８のトラック荷台下部構造であって、
前記横根太が、Ｃ字形の断面を有し、
前記第二の固定手段が、
前記横根太を下面を前記縦根太に固定するための第三のボルト手段であって、前記第三のボルト手段の一端が前記上面溝内に嵌入される、ところの第三のボルト手段、
からさらに成る、
ところのトラック荷台下部構造。
【請求項１２】
請求項８のトラック荷台下部構造であって、
前記縦根太が、中空であり、
前記縦根太の内部に、前記縦根太の内部下面から前記上面溝の裏面にわたるリブが形成される、
ところのトラック荷台下部構造。
【請求項１３】
請求項２のトラック荷台下部構造であって、
前記傾斜面が、ほぼ真直ぐに下向きに傾斜する、
ところのトラック荷台下部構造。
【請求項１４】
請求項２のトラック荷台下部構造であって、
前記傾斜面が、丸く下方へ傾斜する、
ところのトラック荷台下部構造。
【請求項１５】
請求項８のトラック荷台下部構造であって、
前記傾斜面が、ほぼ真直ぐに下向きに傾斜する、
ところのトラック荷台下部構造。
【請求項１６】
請求項８のトラック荷台下部構造であって、
前記傾斜面が、丸く下方へ傾斜する、
ところのトラック荷台下部構造。
【発明の詳細な説明】
【技術分野】
【０００１】
本発明は、荷台をトラックのシャーシに取り付けるためのトラック荷台下部構造に関する。
【背景技術】
【０００２】
トラックには、その後方に、荷物を積載する荷台が備えられている。荷台は、床板の裏面に取り付けたクロスビーム構造体すなわちトラック荷台下部構造を介してトラックのシャーシに取り付けられている。このトラック荷台下部構造は、シャーシに固定される角筒状の縦根太と、この縦根太と交差して縦根太の上面に固定される角筒状の横根太とから構成され、床板は、横根太上に取り付けられている。
【０００３】
そして、従来のトラック荷台下部構造では、縦根太は、シャーシの上面との滑りを防止するため、塩化ビニルなどの合成樹脂からなる帯状のパッキン材を介してシャーシの上面に固定されている（例えば、特許文献１を参照）。
【０００４】
また、縦根太の側面には、縦根太の長手方向に長い断面Ｃ字形の側面溝が形成され、この側面溝内にボルトの頭を嵌入することにより、縦根太と横根太やシャーシとを接合板で取り付ける作業や、必要に応じて、送油配管や配電線を取り付ける作業を容易に行えるようにしている（例えば、特許文献２を参照）。
【特許文献１】特開平９−２３２１号公報
【特許文献２】実開平７−３３７７８号公報
【発明の開示】
【発明が解決しようとする課題】
【０００５】
しかし、従来のトラック荷台下部構造では、縦根太は、パッキン材が、両面粘着テープで、縦根太の幅方向にわたって平坦な下面と、シャーシの幅方向にわたって平坦な上面に貼り付けられているだけなので、トラックの振動や発進・停止の際にパッキン材に作用する慣性力、遠心力などにより、パッキン材のズレが生じ、その結果、トラック荷台下部構造を構成する成分同士を連結する部品に過度な応力が作用し、この部品が変形したり破損するという問題が生じる。
【０００６】
また、横根太が、角筒状の縦根太の上面の一方のエッジから他方のエッジにわたって接触しているので、トラックの振動や発進・停止の際に横根太に作用する慣性力、遠心力などにより、縦根太のエッジ部分に応力が集中すると、縦根太の側面に形成した断面Ｃ字形の側面溝が変形し、この側面溝内にボルトの頭を嵌入させることができず、所定の個所に、縦根太と横根太やシャーシとを取り付けたり、送油配管や配電線を取り付けることが容易に行えない、という問題が生じる。
【０００７】
したがって、本発明の目的は、パッキン材をシャーシの上面と縦根太の下面との間に確実に配置できるトラック荷台下部構造を提供することである。
【０００８】
また、本発明の他の目的は、所定の個所に、縦根太と横根太やシャーシとを容易に取り付けることができるトラック荷台下部構造を提供することである。
【課題を解決するための手段】
【０００９】
上記目的を達成する本発明のトラック荷台下部構造は、トラックのシャーシに荷台を取り付けるためのものである。
【００１０】
本発明のトラック荷台下部構造は、パッキン材を介してシャーシの上面に配置される角筒状の縦根太、縦根太をシャーシに固定するための第一の固定手段、縦根太と交差して縦根太の上面に配置される角筒状の横根太、及び横根太を縦根太に固定するための第二の固定手段から構成される。
【００１１】
縦根太の下面に、縦根太の長手方向に長い断面コ字形の下面溝が形成され、この下面溝内にパッキン材が配置される。これにより、パッキン材が、シャーシの上面と縦根太の下面との間に確実に配置される。このパッキン材は、シャーシの上面に対する縦根太の滑りを防止するものであり、合成樹脂からなる帯状のものであり、粘着剤で、縦根太の下面溝内に貼り付けて配置させることができる。
【００１２】
第一の固定手段は、縦根太の側面とシャーシの側面に面した取付面を有する第一の接合板、この第一の接合板をシャーシの側面に固定するための手段、及び第一の接合板を縦根太に固定するための第一のボルト手段から構成される。
【００１３】
第一の接合板をシャーシの側面に固定するための手段は、ボルト、スクリュー、リベット、溶接などの既知の手段から選択でき、この既知の手段により、シャーシの側面に面した第一の接合板の取付面がシャーシの側面に取り付けられて、第一の接合板がシャーシの側面に固定される。
【００１４】
縦根太の側面に、縦根太の長手方向に長い１個又は複数個の断面Ｃ字形の側面溝が形成され、第一のボルト手段の一端が、この側面溝内に嵌入される。これにより、縦根太の側面に面した第一の接合板の取付面が、縦根太の側面に取り付けられ、第一の接合板が縦根太に固定される。
【００１５】
この側面溝を形成した側の縦根太の上面のエッジ部分に、下方向に傾斜する傾斜面が形成される。これにより、縦根太の上面のエッジ部分に横根太の下面が接しないので、縦根太の側面溝が、荷重により変形することがない。このような傾斜面は、ほぼ真直ぐに下向きに傾斜していてもよいし、丸く下方へ傾斜していてもよい。
【００１６】
好適に、縦根太の上面に、縦根太の長手方向に長い１個又は複数個の断面Ｃ字形の上面溝が、さらに形成される。このとき、第一の固定手段は、変形的に、縦根太の上面とシャーシの側面に面した取付面を有する第一の接合板、この第一の接合板をシャーシの側面に固定するための手段、及び第一の接合板を縦根太に固定するための第一のボルト手段から構成され、この第一のボルト手段の一端が、縦根太の上面溝内に嵌入される。
【００１７】
第二の固定手段は、第二の接合板、この第二の接合板を横根太の側面に固定するための手段、及びこの第二の接合板を縦根太に固定するための手段から構成される。
【００１８】
第二の接合板として、横根太の側面と縦根太の側面に面する取付面を有するものが使用できる。このとき、第二の接合板を横根太の側面に固定するための手段と第二の接合板を縦根太に固定するための手段は、それぞれ、ボルト、スクリュー、リベット、溶接などの既知の手段から選択でき、この既知の手段により、横根太の側面と縦根太の側面に面した第二の接合板の取付面が横根太の側面と縦根太の側面に取り付けられて、第二の接合板が横根太の側面と縦根太の側面に固定される。好適に、第二の接合板を縦根太に固定するための手段は、第二のボルト手段であり、この第二のボルト手段の一端が、縦根太の側面溝内に嵌入される。
【００１９】
また、この第二の接合板として、横根太の側面と縦根太の上面に面する取付面を有するものを使用してもよい。このとき、第二の接合板を横根太の側面に固定するための手段と第二の接合板を縦根太に固定するための手段は、それぞれ、上記の既知の手段から選択でき、この既知の手段により、横根太の側面と縦根太の上面に面した第二の接合板の取付面が横根太の側面と縦根太の上面に取り付けられて、第二の接合板が横根太の側面と縦根太の上面に固定される。
【００２０】
好適に、縦根太の上面に、縦根太の長手方向に長い断面Ｃ字形の上面溝が、さらに形成され、このとき、横根太の側面と縦根太の上面に面する取付面を有する上記の第二の接合板は、変形的に、一端がこの上面溝内に嵌入される第二のボルト手段によって、縦根太に固定される。
【００２１】
ここで、縦根太の上面に面する第二の接合板の取付面の幅は、縦根太のエッジ部分の傾斜面の開始点と、これと反対側の縦根太のエッジとの間の距離と同じ、又はこの距離よりも長い。これにより、荷重による第二の接合板の変形が防止される。
【００２２】
好適に、横根太として、Ｃ字形の断面を有するものが使用され、このとき、第二の固定手段は、この横根太の下面を縦根太に固定するための第三のボルト手段からさらに構成され、この第三のボルト手段の一端が、縦根太の上面溝内に嵌入される。
【００２３】
また、この縦根太として、中空のものが使用され、このとき、この縦根太の内部には、縦根太の内部下面から上面溝の裏面にわたるリブが形成される。これにより、中空の縦根太が補強される。
【発明の効果】
【００２４】
本発明が以上のように構成されるので、以下のような効果を奏する。
【００２５】
縦根太の下面に、縦根太の長手方向に長い断面コ字形の下面溝を形成し、この下面溝内にパッキン材を配置したので、この下面溝がパッキン材のズレ止めとして機能し、パッキン材をシャーシの上面と縦根太の下面との間に確実に配置できる。
【００２６】
縦根太の側面に、縦根太の長手方向に長い１個又は複数個の断面Ｃ字形の側面溝を形成し、第一の接合板を縦根太に固定するための第一のボルト手段の一端を、この側面溝内に嵌入させるので、縦根太の側面に穴をあける作業をせずに、縦根太の側面に面した第一の接合板の取付面を縦根太の側面に取り付けることができ、これにより、第一の接合板を容易簡単な作業で縦根太に固定できる。また、このような側面溝を複数個形成することで、縦根太の上面の側にある側面溝が荷重により変形しても、その下方にある側面溝を使用して、縦根太の側面に面した第一の接合板の取付面を縦根太の側面に取り付けることができる。さらに、この側面溝を形成した側の縦根太の上面のエッジ部分に、下方向に傾斜する傾斜面を形成したので、縦根太の上面のエッジ部分に横根太の下面が接することがなく、縦根太の側面溝を、荷重により変形させることがない。
【００２７】
縦根太の上面に面する第二の接合板の取付面の幅を、縦根太のエッジ部分の傾斜面の開始点と、これと反対側の縦根太のエッジとの間の距離と同じ、又はこの距離よりも長くしたので、荷重による第二の接合板の変形を防止できる。
【発明を実施するための最良の形態】
【００２８】
図１Ａに示すように、荷物を積載する荷台１１が荷箱１０の内部に備えられている。荷台１１は、床板１２の裏面に取り付けたクロスビーム構造体すなわちトラック荷台下部構造２０を介してトラックのシャーシ（図１Ｂに符号１３で示す）に取り付けられている。
【００２９】
図１Ｂ、図２〜図５に、本発明のトラック荷台下部構造２０の例を示す。図示のように、本発明のトラック荷台下部構造２０は、パッキン材１４を介してシャーシ１３の上面に配置される角筒状の縦根太２１、縦根太２１をシャーシ１３に固定するための第一の固定手段３０、縦根太２１と交差して縦根太２１の上面に配置される角筒状の横根太２７、及び横根太２７を縦根太２１に固定するための第二の固定手段４０から構成される。
【００３０】
縦根太２１の下面に、縦根太２１の長手方向に長い断面コ字形の下面溝２２が形成され（図６Ａ〜図６Ｅを参照）、この下面溝２２内にパッキン材１４が配置される。パッキン材１４は、シャーシ１３の上面に対する縦根太２１の滑りを防止するものであり、合成樹脂からなる帯状のものであり、粘着剤で、縦根太２１の下面溝２２内に貼り付けて配置させることができる。そして、下面溝２２は、パッキン材１４の厚さの半分以上の深さにあり、この下面溝２２内にパッキン材１４の上側の部分の半分以上が収容され、パッキン材１４の下側の部分が下面溝２２から下側に露出する。これにより、パッキン材１４が、シャーシ１３の上面と縦根太２１の下面との間に確実に配置される。
【００３１】
第一の固定手段３０は、縦根太２１の側面とシャーシ１３の側面に面した取付面を有する第一の接合板３１、この第一の接合板３１をシャーシ１３の側面に固定するための手段、及び第一の接合板３１を縦根太２１に固定するための第一のボルト手段３２から構成される。
【００３２】
第一の接合板３１をシャーシ１３の側面に固定するための手段は、ボルト、スクリュー、リベット、溶接などの既知の手段から選択でき、この既知の手段により、シャーシ１３の側面に面した第一の接合板３１の取付面がシャーシ１３の側面に取り付けられて、第一の接合板３１がシャーシ１３の側面に固定される。図１Ｂに示す例では、シャーシ１３の側面から第一の接合板３１の取付面に貫挿させたボルトの先端をナットで締めるボルト手段により、第一の接合板３１の取付面がシャーシ１３の側面に取り付けられ、これにより、第一の接合板３１がシャーシ１３の側面に固定されている。
【００３３】
図示の例では、縦根太２１の側面に、縦根太２１の長手方向に長い１個の断面Ｃ字形の側面溝２３が形成され、第一のボルト手段３２の一端が、この側面溝２３内に嵌入される。これにより、縦根太２１の側面に面した第一の接合板３１の取付面が、縦根太２１の側面に取り付けられ、第一の接合板３１が縦根太２１に固定される。このような側面溝２３は、図６Ａ〜図６Ｅに示すように、縦根太２１の側面に複数個形成されてもよく、側面溝２３の個数は、適宜に選定できる。また、このような側面溝２３を複数個形成することで、仮に、縦根太２１の上面の側にある側面溝２３が荷重により変形しても、その下方にある側面溝２３を使用して、第一の接合板３１をシャーシ１３に固定できる。
【００３４】
この側面溝２３を形成した側の縦根太２１の上面のエッジ部分に、下方向に傾斜する傾斜面２４が形成される。これにより、縦根太２１の上面のエッジ部分に横根太２７の下面が接しないので、縦根太２１の側面溝２３が、荷重により変形することがない。このような傾斜面２４は、図７Ａに示すようにほぼ真直ぐに下向きに傾斜していてもよいし、図７Ｂに示すように、丸く下方へ傾斜していてもよい。このような傾斜面２４の傾斜の開始点２４´は、縦根太２１のエッジ部分に荷重がかかったときに、側面溝２３が変形しないような位置であればよく、側面溝２３の底面の直上付近にあり、好適に、側面溝２３の底面の直上又はこれよりも内側（縦根太２１の上面の中央側）にある。
【００３５】
縦根太２１の上面に、縦根太２１の長手方向に長い１個又は複数個の断面Ｃ字形の上面溝２５が、さらに形成される。このとき、第一の固定手段３０は、図４Ａ、Ｂ及び図５Ａ、Ｂに示すように、縦根太２１の上面とシャーシ１３の側面に面した取付面を有する正面Ｌ字形の第一の接合板３１、この第一の接合板３１をシャーシ１３の側面に固定するための手段（この手段は、上記の既知の手段から選択できる）、及び第一の接合板３１を縦根太２１に固定するための第一のボルト手段３２から構成され、この第一のボルト手段３２の一端（ボルトの頭）が、縦根太３１の上面溝２５内に嵌入される。このような上面溝２５は、図６Ａ〜図６Ｅに示すように、縦根太２１の上面に複数個形成されてもよく、上面溝２５の個数は、適宜に選定できる。
【００３６】
第二の固定手段４０は、第二の接合板４１、この第二の接合板４１を横根太２７の側面に固定するための手段、及びこの第二の接合板４１を縦根太２１に固定するための手段から構成される。
【００３７】
第二の接合板４１として、図３Ａ、Ｂ及び図５Ａ、Ｂに示すように、横根太２７の側面と縦根太２１の側面に面する取付面を有する平面Ｌ字形のものが使用できる。このとき、この平面Ｌ字形の第二の接合板４１を横根太２７の側面に固定するための手段と第二の接合板４１を縦根太２１に固定するための手段は、それぞれ、ボルト、スクリュー、リベット、溶接などの既知の手段から選択でき、この既知の手段により、横根太２７の側面と縦根太２１の側面に面した第二の接合板４１の取付面が横根太２７の側面と縦根太２１の側面に取り付けられて、第二の接合板４１が横根太２７の側面と縦根太２１の側面に固定される。好適に、第二の接合板４１を縦根太２１に固定するための手段は、図３Ａ、Ｂ及び図５Ａ、Ｂに示すように、第二のボルト手段４２であり、この第二のボルト手段４２の一端（ボルトの頭）が、縦根太２１の側面溝２３内に嵌入される。
【００３８】
また、この第二の接合板４１として、図２Ａ、Ｂ及び図４Ａ、Ｂに示すように、横根太２７の側面と縦根太２１の上面に面する取付面を有する側面Ｌ字形のものを使用してもよい。このとき、この側面Ｌ字形の第二の接合板４１を横根太２７の側面に固定するための手段と第二の接合板４１を縦根太２１に固定するための手段は、それぞれ、上記の既知の手段から選択でき、この既知の手段により、横根太２７の側面と縦根太２１の上面に面した第二の接合板４１の取付面が横根太２７の側面と縦根太２１の上面に取り付けられて、第二の接合板４１が横根太２７の側面と縦根太２１の上面に固定される。
【００３９】
好適に、図示のように、縦根太２１の上面に、縦根太２１の長手方向に長い断面Ｃ字形の上面溝２５が、さらに形成され（図示の例では、上面溝２５が１個形成されているが、図６Ａ〜図６Ｅに示すように、複数個形成されてもよい）、このとき、横根太２７の側面と縦根太２１の上面に面する取付面を有する上記の側面Ｌ字形の第二の接合板４１は、一端がこの上面溝２５内に嵌入される第二のボルト手段４２（ボルトの頭が上面溝内に嵌入される）によって、縦根太２１に固定される。
【００４０】
ここで、図８に示すように、縦根太２１の上面に面する第二の接合板４１の取付面の幅は、縦根太２１のエッジ部分の傾斜面２４の開始点２４´と、これと反対側の縦根太２１のエッジとの間の距離と同じ、又はこの距離よりも長い。これにより、荷重による第二の接合板４１の変形が防止され、また、縦根太２１の上面に作用する応力を分散できる。
【００４１】
好適に、横根太２７として、図２〜図５に示すように、Ｃ字形の断面を有するものが使用され、このとき、第二の固定手段４０は、この横根太２７の下面を縦根太２１に固定するための第三のボルト手段４３からさらに構成され、この第三のボルト手段４３の一端（ボルトの頭）が、縦根太２１の上面溝２５内に嵌入される。
【００４２】
また、縦根太２１として、図６Ａ〜図６Ｅに示すように、中空のものが使用され、このとき、この縦根太２１の内部には、図６Ｅに示すように、縦根太２１の内部下面から上面溝２５の裏面にわたるリブ２６が形成される。これにより、中空の縦根太２１が補強される。
【図面の簡単な説明】
【００４３】
【図１】図１Ａは、トラックの荷箱の一部破断斜視図であり、図１Ｂは、本発明に従ったトラック荷台下部構造の部分斜視図である。
【図２】図２Ａは、図１Ｂのトラック荷台下部構造の正面図であり、図２Ｂは、図１Ｂの側面図である。
【図３】図３Ａは、本発明に従ったトラック荷台下部構造の正面図であり、図３Ｂは、図３Ａの側面図である。
【図４】図４Ａは、本発明に従ったトラック荷台下部構造の正面図であり、図４Ｂは、図４Ａの側面図である。
【図５】図５Ａは、本発明に従ったトラック荷台下部構造の正面図であり、図５Ｂは、図５Ａの側面図である。
【図６】図６Ａ〜図６Ｅは、それぞれ、縦根太の断面図である。
【図７】図７Ａ及び図７Ｂは、それぞれ、縦根太のエッジ部分の断面図である。
【図８】図８は、図２Ｂの８−８線断面図である。
【符号の説明】
【００４４】
１０・・・荷箱
１１・・・荷台
１２・・・床板
１３・・・シャーシ
１４・・・パッキン材
２０・・・トラック荷台下部構造
２１・・・縦根太
２２・・・下面溝
２３・・・側面溝
２４・・・傾斜面
２４´・・・傾斜面の開始点
２５・・・上面溝
２６・・・リブ
２７・・・横根太
３０・・・第一の固定手段
３１・・・第一の接合板
３２・・・第一のボルト手段
４０・・・第二の固定手段
４１・・・第二の接合板
４２・・・第二のボルト手段
４３・・・第三のボルト手段
【図１】
2006123771.tif 000003
【図２】
2006123771.tif 000004
【図３】
2006123771.tif 000005
【図４】
2006123771.tif 000006
【図５】
2006123771.tif 000007
【図６】
2006123771.tif 000008
【図７】
2006123771.tif 000009
【図８】
2006123771.tif 000010